【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
少なくとも以下：
−主としてイソプレンエラストマーを含むジエンエラストマー；
−以下を含む補強充填剤：
・粗いカーボンブラックと称される、７０ｍ2／ｇ未満のＢＥＴ比表面積を有する、１００質量部のエラストマー当たり５〜６０質量部（ｐｈｒ）のカーボンブラック、および
・微細なカーボンブラックと称される、７０ｍ2／ｇ以上のＢＥＴ比表面積を有する、１０〜３０ｐｈｒのカーボンブラック；
−アルカリ、アルカリ土類またはランタニド金属塩の塩；ならびに
−架橋系、
に基づくゴム組成物であり、
アルカリ土類、アルカリまたはランタニド金属の塩が、アルカリ土類、アルカリまたはランタニド金属のアセチルアセトネートである、ゴム組成物。
【請求項２】
ジエンエラストマーが、ジエンエラストマーの質量に対して、６０質量％〜１００質量％、好ましくは７０質量％〜１００質量％のイソプレンエラストマーを含む、請求項１に記載のゴム組成物。
【請求項３】
カーボンブラックが、５０ｍ2／ｇ未満のＢＥＴ比表面積、好ましくは３２〜４９ｍ2／ｇに及ぶ範囲内のＢＥＴ比表面積を有する、請求項１から２のいずれか１項に記載のゴム組成物。
【請求項４】
「微細な」カーボンブラックが、７０〜１００ｍ2／ｇに及ぶ範囲内のＢＥＴ比表面積を有する、請求項１から３のいずれか１項に記載のゴム組成物。
【請求項５】
「微細な」カーボンブラックに対する「粗い」カーボンブラックの比が、０．５〜３に及ぶ範囲内、好ましくは１と２の間である、請求項１から４のいずれか１項に記載のゴム組成物。
【請求項６】
塩が、アルカリ土類金属の塩である、請求項１から５のいずれか１項に記載のゴム組成物。
【請求項７】
シリカを含まない、または１０ｐｈｒ未満、好ましくは９ｐｈｒ未満のシリカを含む、請求項１から６のいずれか１項に記載のゴム組成物。
【請求項８】
架橋系が分子状硫黄および／または硫黄ドナーを含む、請求項１から７のいずれか１項に記載のゴム組成物。
【請求項９】
請求項１から８のいずれか１項に記載のゴム組成物を含む、完成または半完成ゴム物品。
【請求項１０】
請求項１から８のいずれか１項に記載のゴム組成物を含む、タイヤ。
【手続補正２】
【補正対象書類名】明細書
【補正対象項目名】００５４
【補正方法】変更
【補正の内容】
【００５４】
表１に提示した結果は、本発明による組成物はすべて転がり抵抗を改善できるが、組成物の機械特性も改善できることを示している。そのうえ、本発明による組成物が良好な接着特性を示すことに気づいた。
本発明のまた別の態様は、以下のとおりであってもよい。
〔１〕少なくとも以下：
−主としてイソプレンエラストマーを含むジエンエラストマー；
−以下を含む補強充填剤：
・粗いカーボンブラックと称される、７０ｍ2／ｇ未満のＢＥＴ比表面積を有する、１００質量部のエラストマー当たり５〜６０質量部（ｐｈｒ）のカーボンブラック、および
・微細なカーボンブラックと称される、７０ｍ2／ｇ以上のＢＥＴ比表面積を有する、１０〜３０ｐｈｒのカーボンブラック；
−アルカリ、アルカリ土類またはランタニド金属塩の塩；ならびに
−架橋系、
に基づくゴム組成物。
〔２〕ジエンエラストマーが、ジエンエラストマーの質量に対して、６０質量％〜１００質量％、好ましくは７０質量％〜１００質量％のイソプレンエラストマーを含む、前記〔１〕に記載のゴム組成物。
〔３〕イソプレンエラストマーが、イソプレンエラストマーの少なくとも９０質量％の、１，４−シス結合の質量含有量を含む、前記〔１〕または〔２〕に記載のゴム組成物。
〔４〕イソプレンエラストマーが、天然ゴム、合成ポリイソプレンまたはこれらの混合物であり、好ましくは、イソプレンエラストマーが天然ゴムである、前記〔１〕から〔３〕のいずれか１項に記載のゴム組成物。
〔５〕カーボンブラックが、５０ｍ2／ｇ未満のＢＥＴ比表面積、好ましくは３２〜４９ｍ2／ｇに及ぶ範囲内のＢＥＴ比表面積を有する、前記〔１〕から〔４〕のいずれか１項に記載のゴム組成物。
〔６〕「粗い」カーボンブラックが、９０ｍｌ／１００ｇ未満、好ましくは８７ｍｌ／１００ｇ未満のＣＯＡＮ吸油値を有する、前記〔１〕から〔５〕のいずれか１項に記載のゴム組成物。
〔７〕「微細な」カーボンブラックが、７０〜１００ｍ2／ｇに及ぶ範囲内のＢＥＴ比表面積を有する、前記〔１〕から〔６〕のいずれか１項に記載のゴム組成物。
〔８〕「微細な」カーボンブラックが、９０ｍｌ／１００ｇ以上のＣＯＡＮ吸油インデックス、好ましくは９０〜１１０ｍｌ／１００ｇに及ぶ範囲内のＣＯＡＮ吸油インデックスを有する、前記〔１〕から〔７〕のいずれか１項に記載のゴム組成物。
〔９〕「粗い」カーボンブラック含有量が、１０〜６０のｐｈｒ、好ましくは１５〜６０ｐｈｒに及ぶ範囲内である、前記〔１〕から〔８〕のいずれか１項に記載のゴム組成物。
〔１０〕「微細な」カーボンブラックの含有量が、１０〜２５ｐｈｒ、好ましくは１０〜２０ｐｈｒに及ぶ範囲内である、前記〔１〕から〔９〕のいずれか１項に記載のゴム組成物。
〔１１〕カーボンブラックの全含有量が、３０〜７０ｐｈｒ、好ましくは４０〜６０ｐｈｒに及ぶ範囲内である、前記〔１〕から〔１０〕のいずれか１項に記載のゴム組成物。
〔１２〕「微細な」カーボンブラックに対する「粗い」カーボンブラックの比が、０．５〜３に及ぶ範囲内、好ましくは１と２の間である、前記〔１〕から〔１１〕のいずれか１項に記載のゴム組成物。
〔１３〕アルカリ土類、アルカリまたはランタニド金属の塩が、アルカリ土類、アルカリまたはランタニド金属のアセチルアセトネートである、前記〔１〕から〔１２〕のいずれか１項に記載のゴム組成物。
〔１４〕塩が、アルカリ土類金属の塩である、前記〔１〕から〔１３〕のいずれか１項に記載のゴム組成物。
〔１５〕アルカリ土類金属の塩が、マグネシウム塩である、前記〔１４〕に記載のゴム組成物。
〔１６〕アルカリ土類、アルカリまたはランタニド金属塩の含有量が、０．１〜５ｐｈｒ、好ましくは０．５〜４ｐｈｒ、より優先的には０．５〜２ｐｈｒに及ぶ範囲内である、前記〔１〕から〔１５〕のいずれか１項に記載のゴム組成物。
〔１７〕シリカを含まない、または１０ｐｈｒ未満、好ましくは９ｐｈｒ未満のシリカを含む、前記〔１〕から〔１６〕のいずれか１項に記載のゴム組成物。
〔１８〕カップリング剤を含まない、またはカーボンブラックの全質量に対して５質量％未満のカップリング剤を含む、前記〔１〕から〔１７〕のいずれか１項に記載のゴム組成物。
〔１９〕ステアリン酸またはその塩も含む、前記〔１〕から〔１８〕のいずれか１項に記載のゴム組成物。
〔２０〕ステアリン酸またはその塩の含有量が、０．５〜３ｐｈｒ、好ましくは０．５〜１ｐｈｒに及ぶ範囲内である、前記〔１９〕に記載のゴム組成物。
〔２１〕架橋系が分子状硫黄および／または硫黄ドナーを含む、前記〔１〕から〔２０〕のいずれか１項に記載のゴム組成物。
〔２２〕硫黄含有量が２．５ｐｈｒを超える、好ましくは硫黄含有量が３〜１０ｐｈｒ、好ましくは３〜７ｐｈｒ、好ましくは４〜６ｐｈｒに及ぶ範囲内である、前記〔２１〕に記載の組成物。
〔２３〕コバルト塩も含む、前記〔１〕から〔２２〕のいずれか１項に記載のゴム組成物。
〔２４〕コバルト塩が、アビエチン酸塩、アセチルアセトネート、トール酸塩、ナフテン酸塩、樹脂酸塩およびこれらの混合物からなる群から選択される、前記〔２３〕に記載のゴム組成物。
〔２５〕コバルト塩の含有量が、０．５〜２ｐｈｒ、好ましくは０．５〜１ｐｈｒに及ぶ範囲内である、前記〔２３〕または〔２４〕に記載のゴム組成物。
〔２６〕置換ｐ−フェニレンジアミン、置換ジフェニルアミン、置換トリフェニルアミン、キノリン誘導体、およびこれらの混合物からなる群から選択される酸化防止剤も含む、前記〔１〕から〔２５〕のいずれか１項に記載のゴム組成物。
〔２７〕酸化防止剤が、置換ｐ−フェニレンジアミンおよびこれの混合物からなる群から選択される、前記〔２６〕に記載のゴム組成物。
〔２８〕酸化防止剤の含有量が、１〜５ｐｈｒ、好ましくは２〜３ｐｈｒに及ぶ範囲内である、前記〔２６〕または〔２７〕に記載のゴム組成物。
〔２９〕前記〔１〕から〔２８〕のいずれか１項に記載のゴム組成物を含む、完成または半完成ゴム物品。
〔３０〕前記〔１〕から〔２８〕のいずれか１項に記載のゴム組成物を含む、タイヤ。
〔３１〕前記〔１〕から〔２８〕のいずれか１項に記載のゴム組成物が、少なくとも１つの内部の層に存在する、前記〔３０〕に記載のタイヤ。
〔３２〕内部の層が、カーカスプライ、クラウンプライ、ビードワイヤフィリング、クラウンフィート、デカップリング層、トレッド基層およびこれらの内部の層の組み合わせからなる群から選択される、前記〔３１〕に記載のタイヤ。